(57)【特許請求の範囲】
【請求項１】
障子の縦框上部に嵌合設置されるとともに、上部に窓枠の上レール嵌入溝が形成されたケースと、このケース内に上下方向に沿ってスライド可能に設置されるとともに、弾発手段によって上方向に向けて付勢保持された外れ止めブロックと、前記ケース内の前記外れ止めブロックの下側に配置され、前記外れ止めブロックの下降を許容する外れ止め解除位置と、外れ止めブロックの下側に潜入し前記外れ止めブロックの下降を阻止する外れ止め作動位置との間で横方向にスライド可能に設けられるとともに、弾発手段によって前記潜入方向に向けて付勢保持された作動体とからなり、
前記作動体は、ケース内の一部に係合することによって前記外れ止め解除位置に停止状態に保持するトリガー片を一体的に備え、前記外れ止めブロックの下降に伴って前記トリガー片が押し下げられることにより前記係合が解除され、前記外れ止めブロックの上昇に伴って前記作動体が前記外れ止め作動位置に移動するようにしたことを特徴とする障子用外れ止め装置。
【請求項２】
前記ケースには、前記作動体を前記外れ止め作動位置から前記外れ止め解除位置まで押し戻すための棒材挿入孔が形成されている請求項１記載の障子用外れ止め装置。
【請求項３】
前記上レール嵌合溝は、上レールの厚みに余裕代を見込んだ幅とし、振れ止め機能を持たせてある請求項１，２いずれかに記載の障子用外れ止め装置。
【請求項４】
前記作動体の前記潜入方向側の前面に対して、前記外れ止め作動位置に移動した際、前記棒材挿入孔に嵌合する凸部を設けてある請求項１〜３いずれかに記載の障子用外れ止め装置。
【請求項５】
請求項１〜４いずれかに記載の障子用外れ止めを障子に備えたことを特徴とするサッシ。
【発明の詳細な説明】
【技術分野】
【０００１】
本発明は、障子が窓枠から外れるのを防止する障子用外れ止め装置及びこれを備えたサッシに関する。
【背景技術】
【０００２】
従来より、ビル等の壁面を構成するサッシでは、窓枠に対して所謂ケンドン方式で障子を嵌め込む方式が採用されているが、地震や開閉時等に不意に障子が窓枠から外れるのを防止するために障子用外れ止め装置が設けられている。
従来の外れ止め装置は、外れ止め片をネジによって上下動させる手動式のものが多かったが、近年は障子の建込みと同時に、自動的に外れ止めが掛かるようにした装置が多く提案されている。
【０００３】
例えば、下記特許文献１では、障子の上框の上溝に嵌合して取付けられる基体の片側に、水平方向に回動自在に外れ止め片を取付け、該外れ止め片をばねにより外れ止め位置（上レールの真下となる位置）へ動けるように付勢しておき、該外れ止め片の片側（上溝中央側）に、横軸を中心に上下方向に回動自在にかつ水平姿勢となるようにばねにより付勢して突っ張り片を取付け、障子建込み前は前記突っ張り片を水平姿勢にしてその先端を上溝の側壁に当接させてつっかい棒の役目を果たさせておき、障子を建込む際、枠体の上レールに突っ張り片が当接して突っ張り片がばね力に抗して下方へ回動され、これにより外れ止め片がばねにより水平回動され、外れ止め片がセット位置、すなわち上レールの真下に来るようにした外れ止め装置が提案されている。
【０００４】
また、下記特許文献２では、障子の上框の上溝内に取付けられる障子の自動外れ止め装置において、前記上溝の底部に設ける底基部と、前記底基部の側部に一体に立設される側基部と、前記底基部の側部よりに設けた縦軸を中心として水平方向に回動自在に設けられる外れ止め片と、該外れ止め片を前記上溝の前記縦軸側と反対側の側壁側に回動するように付勢するばねと、前記底基部より延設され、かつ前記上溝の底部から浮かせて設けられ、前記外れ止め片を係止する弾性片でなるストッパーとで構成され、前記ストッパーが障子の枠体の上レールに押し下げられることにより、前記外れ止め片が前記ストッパーより外れて前記ばねにより回動し、該外れ止め片が障子の上レールと前記上溝底部との間に介在する構成を有する障子の自動外れ止め装置が提案されている。
【０００５】
さらに、下記特許文献３では、障子上框の凹溝内に作動板を該凹溝長手方向に摺動自在に係合し、上記作動板に、上記上框凹溝の一側壁寄りから斜め凹溝長手方向へ延長する直線状溝カムと、凹溝長手方向へ延長する長孔とを設け、上記作動板上において、平面からみて比較的細長い外れ止め板の基端部を、上記作動板の長孔を介して上記上框に支持された軸に該作動板面に沿って揺動自在に支承させると共に、上記外れ止め板の中間部に突設された従動ピンを上記作動板の直線状溝カムに係合させた障子の外れ止め装置が提案されている。
【先行技術文献】
【特許文献】
【０００６】
【特許文献１】実開昭６３−８６２７１号公報
【特許文献２】特公平６−７８６９９号公報
【特許文献３】実開平６−７１８３３号公報
【発明の概要】
【発明が解決しようとする課題】
【０００７】
上記特許文献１〜３に係る障子の外れ止め装置は、いずれも障子の上框内に収容するようにしたものである。しかしながら、この場合は障子の上框の断面を外れ止め装置を収容し得る寸法としなければならず、上框の見付け寸法を小さくしたい場合の障害となる問題が生じる。また、ガラスの破損や修理等で障子を窓枠から取り外したい場合、外れ止めを解除することになるが、外れ止め装置が上框内部に設けられる場合は、上框の側面に解除用孔が形成され、そこにねじ回しを差し込んで解除操作を行ったり、障子の見込み面に設けた開孔からねじ回しを差し込んで解除操作を行うようにしているが、外部から見えない箇所を作動させる必要があるため解除操作が非常にし難いなどの問題があるとともに、外れ止め装置に故障が発生した場合、上框内に配置されているため、修理や交換作業が非常に面倒であるなどの問題もあった。
【０００８】
更に、障子には風圧、地震等によるガタツキを抑えるために縦框の上端部に振れ止め装置が配設されるため、障子に対する造作として前記外れ止め装置の設置作業と、前記振れ止め装置の設置作業の２つの造作作業を行う必要があり、これらの作業を省力化することが望まれていた。
【０００９】
そこで本発明の主たる課題は、障子用外れ止め装置の配置による上框の設計上の制約を無くして上框の縮小化が図れるようにするとともに、外れ止めの解除操作を容易化し得る等の効果を有する障子用外れ止め装置及びこれを備えたサッシを提供することにある。
【課題を解決するための手段】
【００１０】
前記課題を解決するために請求項１に係る本発明として、障子の縦框上部に嵌合設置されるとともに、上部に窓枠の上レール嵌入溝が形成されたケースと、このケース内に上下方向に沿ってスライド可能に設置されるとともに、弾発手段によって上方向に向けて付勢保持された外れ止めブロックと、前記ケース内の前記外れ止めブロックの下側に配置され、前記外れ止めブロックの下降を許容する外れ止め解除位置と、外れ止めブロックの下側に潜入し前記外れ止めブロックの下降を阻止する外れ止め作動位置との間で横方向にスライド可能に設けられるとともに、弾発手段によって前記潜入方向に向けて付勢保持された作動体とからなり、
前記作動体は、ケース内の一部に係合することによって前記外れ止め解除位置に停止状態に保持するトリガー片を一体的に備え、前記外れ止めブロックの下降に伴って前記トリガー片が押し下げられることにより前記係合が解除され、前記外れ止めブロックの上昇に伴って前記作動体が前記外れ止め作動位置に移動するようにしたことを特徴とする障子用外れ止め装置が提供される。
【００１１】
上記請求項１記載の発明では、外れ止め装置を障子の縦框上部に嵌合設置されるようにしたため、上框について設計上の制約が無くなり、上框の断面寸法を縮小化（特に見付け幅）できるようになる。また、外れ止め装置は、縦框の上部に嵌合設置され、目に見える位置に配置されているため、外れ止めの解除操作が容易に行えるようになる。
【００１２】
請求項２に係る本発明として、前記ケースには、前記作動体を前記外れ止め作動位置から前記外れ止め解除位置まで押し戻すための棒材挿入孔が形成されている請求項１記載の障子用外れ止め装置が提供される。
上記請求項２記載の発明は、ケースに外れ止めを解除するための棒材挿入孔を設けるようにしたものであり、この棒材挿入孔からねじ回し等の棒部材を挿入し、前記作動体を前記外れ止め作動位置から前記外れ止め解除位置まで移動させるようにすれば、外れ止めが解除され障子を窓枠から取り外せるようになる。
【００１３】
請求項３に係る本発明として、前記上レール嵌合溝は、上レールの厚みに余裕代を見込んだ幅とし、振れ止め機能を持たせてある請求項１，２いずれかに記載の障子用外れ止め装置が提供される。
【００１４】
上記請求項３記載の発明は、ケースの上レール嵌合溝の幅を上レールの厚みに余裕代を見込んだ幅とし、振れ止め機能を持たせるようにしたものであり、これによって、外れ止め装置に振れ止め機能を兼用させることができ、障子に対する造作は本障子用外れ止め装置の取付けのみで済み、省力化が可能となる。
【００１５】
請求項４に係る本発明として、前記作動体の前記潜入方向側の前面に対して、前記外れ止め作動位置に移動した際、前記棒材挿入孔に嵌合する凸部を設けてある請求項１〜３いずれかに記載の障子用外れ止め装置が提供される。
【００１６】
上記請求項４記載の発明は、前記作動体の前記潜入方向側の前面に対して、前記外れ止め作動位置に移動した際、前記棒材挿入孔に嵌合する凸部を設けるようにしたものである。従って、前記作動体が外れ止め作動位置にある時、前記棒材挿入孔が前記凸部によって塞がれるため、孔が外れ止め解除孔であることを知らない人が不用意に孔にねじ回しを差し込んで、外れ止めが解除されてしまうのを防止することが可能となる。
【００１７】
請求項５に係る本発明として、請求項１〜４いずれかに記載の障子用外れ止めを障子に備えたことを特徴とするサッシが提供される。
【発明の効果】
【００１８】
以上詳説のとおり本発明によれば、障子用外れ止め装置の配置による上框の設計上の制約を無くして上框の縮小化が図れるとともに、外れ止めの解除操作を容易化し得る等の効果を有する障子用外れ止め装置及びこれを備えたサッシを提供することが可能となる。
【図面の簡単な説明】
【００１９】
【図１】本発明に係る外れ止め装置１を縦框の上端部に嵌合設置した状態を示す、(A)は障子の要部平面図、(B)は障子の要部正面図である。
【図２】本発明に係る外れ止め装置１を縦框の上端部に嵌合設置した状態を示す障子の要部側面図（見込み面）である。
【図３】本発明に係る外れ止め装置１を縦框の上端部に嵌合設置した状態を示す、(A)は外方側からの要部斜視図、(B)は内方側からの要部斜視図である。
【図４】外れ止め装置の分解図（組立図）である。
【図５】外れ止め装置１のケースを示す、(A)は外面側からの斜視図、(B)は内面側からの斜視図である。
【図６】ケースを示す、(A)は内面図、(B)は左側面図、(C)は平面図である。
【図７】外れ止めブロック３を示す、(A)は一方面側からの斜視図、(B)は他方面側からの斜視図、(C)は裏面図である。
【図８】作動体４を示す、(A)は一方面側からの斜視図、(B)は他方面側からの斜視図、(C)は側面図である。
【図９】障子の建込み要領を示す縦断面図である。
【図１０】外れ止め装置１の作動状態説明図である。
【発明を実施するための形態】
【００２０】
以下、本発明の実施の形態について図面を参照しながら詳述する。
【００２１】
本発明が対象とするサッシは、窓枠とこの窓枠に対して水平方向にスライド可能に設置された内障子と外障子とからなるものであり、前記外障子の召合せ框の上端部に対して本発明に係る障子用外れ止め装置１が設けられている。
【００２２】
前記障子用外れ止め装置１は、図１に示されるように、障子の縦框上部に嵌合設置されるとともに、上部に窓枠の上レール嵌入溝が形成されたケース２と、このケース２内に上下方向に沿ってスライド可能に設置されるとともに、弾発手段（バネ）５によって上方向に向けて付勢保持された外れ止めブロック３と、前記ケース２内の前記外れ止めブロック３の下側に配置され、前記外れ止めブロック３の下降を許容する外れ止め解除位置と、前記外れ止めブロック３の下側に潜入し外れ止めブロック３の下降を阻止する外れ止め作動位置との間で横方向にスライド可能に設けられるとともに、弾発手段（バネ）６によって前記潜入方向に向けて付勢保持された作動体４とからなり、前記作動体４は、ケース２内の一部に係合することによって前記外れ止め解除位置に停止状態に保持するトリガー片４Ｃを一体的に備え、前記外れ止めブロック３の下降に伴って前記トリガー片４Ｃが押し下げられることにより前記係合が解除され、前記外れ止めブロック３の上昇に伴って前記作動体４が前記外れ止め作動位置に移動するようにしたものである。
【００２３】
以下、更に図面に基づきながら詳細に説明を行う。
【００２４】
前記ケース２は、詳細には図５及び図６に示されるように、裏面側が開口とされる函体状のケースであり、障子Ｓの縦框２２の上部に嵌合設置されるようになっている。上面部には上枠２０の上レール２０ａが嵌入される上レール嵌入溝２ａが形成されている。上レール嵌入溝２ａは、図２に示されるように、前記上レール２０ａの厚みに若干の余裕代を見込んだ幅としており、振れ止め機能を持たせるようにしてある。ケース２の内部は、相対的に上部側が外れ止めブロック３を設置するための第１設置空間２Ａとされ、相対的に下部側が作動体４を設置するための第２設置空間２Ｂとされる。
【００２５】
前記第１設置空間２Ａと前記第２設置空間２Ｂとの略境界部には、片側寄り位置に水平方向に沿ってバネ設置台２ｂが設けられ、このバネ設置台２ｂの上面にバネ嵌合凸部２ｃが形成されている。
【００２６】
前記第２設置空間２Ｂにおいて、片側側面には水平方向に突出するバネ嵌合凸部２ｄが形成されているとともに、この第２設置空間２Ｂの上部には、後述する作動体４のトリガー片４Ｃが係合するストッパー用垂壁２ｅが設けられている。また、前記バネ嵌合凸部２ｄが形成された側壁と対面する側壁には、外れ止め解除孔２ｆが形成され、中間部には水平方向に沿って作動体４のスライドをガイドするためのガイド溝２ｊが形成されている。
【００２７】
前記第２設置空間２Ｂに設置される作動体４は、後述するように、バネ嵌合凸部２ｄ側に最も寄った位置が外れ止めブロック３の下降を許容する外れ止め解除位置となり、前記外れ止め解除孔２ｆ側に最も寄った位置が外れ止めブロック３の下降を阻止する外れ止め作動位置となる。
【００２８】
また、前記第１設置空間２Ａにおいては、中間部にケース２を縦框２２の上部に固定するためのビス孔２ｇが設けられているとともに、第１設置空間２Ａを囲む両側壁には、夫々、上下二段配置で外れ止めブロック３の上下動をガイドするためのガイド溝２ｈ、２ｈが形成されている。
【００２９】
一方、外面側には、膨出部２Ｃが設けられ、この膨出部２Ｃと本体部２Ｄとの境界には縦框２２のリブが嵌合するリブ嵌入溝２ｉ、２ｉが左右一対で設けられている。
【００３０】
他方、縦框２２は、図１に示されるように、戸先側に中空部２２Ａを有しており、この中空部２２Ａの上端部に切欠き２２ａが設けられ、前記ケース２の本体部２Ｄを前記中空部２２Ａに嵌合させるようにして縦框２２の上部に設置し、ビス２４をビス孔２ｇから挿入し、縦框２２に螺入させることによって抜け出ないように堅固に保持される。この際、前記ケース２の外れ止め解除孔２ｆは室内側に臨ませる必要があるため、これと重なる縦框２２の煙返し部分に切り欠き２２ｂが形成されている。
【００３１】
次に、前記外れ止めブロック３は、詳細には図７に示されるように、所定の厚みを持った板状のブロック体であり、両側面には夫々、前記ケース２のガイド溝２ｈ、２ｈに係合するガイド凸部３ａ、３ａが設けられている。中間部には、ケース２を縦框２２に固定するためのビス孔２ｇに対応させてビス通孔３ｂが設けられている。下部の片側には、Ｌ字状の切欠き部３ｃが設けられ、この切欠き部３ｃの上部にはバネ嵌合凸部３ｄが設けられている。前記ビス通孔３ｂは、外れ止めブロック３が上昇位置にある状態時に（図１０(A)(C)の状態）、前記ケース２に設けたビス孔２ｇにほぼ一致する位置に形成されており、本外れ止め装置１を障子の縦框上部に嵌合させた状態で前記ビス通孔３ｂを挿通させ、前記ケース２のビス孔２ｇにネジ止めされるビス２４により固定されるようになっている。すなわち、前記外れ止めブロック３の内部にビス通孔３ｂを形成し、このビス通孔３ｂを通してビス止めすることによって前記ケース２のコンパクト化が図れ、本外れ止め装置１を縦框２２の中空部２２Ａに対して嵌合可能なサイズとしている。
【００３２】
前記作動体４は、詳細には図８に示されるように、バネ６が収容される作動体本体４Ａと、外れ止めブロック３の下降を阻止するストッパー４Ｂと、ケース２内の一部（ストッパー用垂壁２ｅ）に係合することによって前記外れ止め解除位置に停止状態の保持するトリガー片４Ｃとから構成されている。
【００３３】
前記作動体本体４Ａは、水平方向のバネ設置空間４ａを有する部材であり、一端側にバネ嵌合凸部４ｂを有する。前面には、ケース２の外れ止め解除孔２ｆに嵌合する凸部４ｃが設けられ、側面にはケース２のガイド溝２ｊに係合するガイド凸部４ｄが設けられている。前記凸部４ｃの前面に着色を施すようにしてもよい。
【００３４】
前記ストッパー４Ｂは、前記作動体本体４Ａの上面の一部（隅角部）を基端として上方側に起立するポスト状のストッパーであり、作動体４が外れ止めブロック３の下側に移動した状態時に、前記外れ止めブロック３の下降を阻止することで障子の外れ止めを成すようになっている。
【００３５】
前記トリガー片４Ｃは、前記作動体本体４Ａの上面端部を基端として、斜め上方に延出するアーム状の部材であり、上下方向に弾性変形可能となっている。先端部には、垂片状の当接部４ｅを有し、この当接部４ｅがケース２のストッパー用垂壁２ｅに当接することにより、作動体４が外れ止め解除位置に停止状態に保持される。
【００３６】
前述した前記ケース２と、前記外れ止めブロック３と、前記作動体４との組立は、図４に示されるように、バネ５の一端をケース２のバネ嵌合凸部２ｃに嵌合させ、他端を外れ止めブロック３のバネ嵌合凸部３ｄに嵌合させるとともに、外れ止めブロック３のガイド凸部３ａ、３ａをケース２のガイド溝２ｈ、２ｈに嵌め込むようにしながら、外れ止めブロック３をケース２の第１設置空間２Ａに設置する。
【００３７】
また、バネ６の一端をケース２のバネ嵌合凸部２ｄに嵌合させ、他端を作動体４のバネ嵌合凸部４ｂに嵌合させるとともに、作動体４のガイド凸部４ｄをケース２のガイド溝２ｊに嵌め込むようにしながら、作動体４をケース２の第２設置空間２Ｂに設置する。作動体４の初期状態は、前記トリガー片４Ｃの当接部４ｅをケース２のストッパー用垂壁２ｅに当接させ、該作動体４が外れ止め解除位置に停止した状態としておく。組立を終えた外れ止め装置１は、前述したように、縦框２２の上端部に嵌合設置する。
【００３８】
次いで、本外れ止め装置１の作動状態について、図９及び図１０に基づいて詳述する。
【００３９】
障子Ｓの窓枠に対する建込みは、図９に示されるように、上枠２０の上レール２０ａを上框２３のレール溝に対して嵌込みながら障子Ｓを上限近くまで持上げ、下框２４内に設けられた戸車２５を下枠２１の下レール２１ａに載せるようにする、所謂ケンドン方式によって行われる。
【００４０】
この建込みに伴って、本外れ止め装置１は、自動的に外れ止め機構が作動し外れ止めが成されるようになっている。
【００４１】
具体的には、図１０(A)に示されるように、建込み前の状態では、作動体４はトリガー片４Ｃの当接部４ｅがケース２のストッパー用垂壁２ｅに当接状態で係合しており、該作動体４は外れ止め解除位置に停止した状態に保持されている。
次に、障子Ｓの建込みに伴って、上框２３のレール溝に対して上レール２０ａを嵌入させると、図１０(B)に示されるように、上レール２０ａが外れ止めブロック３を下側に押し下げる。外れ止めブロック３が押し下げられると、前記作動体４のトリガー片４Ｃが押し下げられることによって前記係合が解除される。障子Ｓの建込みが完了する時、図１０(C)に示されるように、前記外れ止めブロック３の上昇に伴って、前記作動体４が外れ止めブロック３の下側に移動する。この状態が、前記作動体４が前記外れ止めブロックの下降を阻止する外れ止め作動位置に定位している状態であり、前記作動体４のストッパー４Ｂが外れ止めブロック３が下降するのを阻止する。
【００４２】
なお、前記作動体４が外れ止め作動位置にある時、前記棒材挿入孔２ｆが前記凸部４ｃによって塞がれているため、孔２ｆが外れ止め解除孔であることを知らない人が不用意に孔にねじ回しを差し込んで、外れ止めが解除されてしまうのを防止するようになっている。
【００４３】
その後に、障子Ｓを窓枠から取り外したい事情が生じた場合、外れ止めを解除する必要がある。この場合には、前記外れ止め解除孔２ｆからねじ回し等の棒部材を挿入し、前記作動体４を外れ止め解除位置（図１０(A)の状態）まで押し戻すようにする。この押し戻しの際、前記トリガー片４Ｃはストッパー用垂壁２ｅに対して自動的に係合するため、前記作動体４は外れ止め解除位置に停止した状態に保持される。
【００４４】
本外れ止め装置１では、前記作動体４は、外れ止め装置１を縦框２２に設置した状態で、その移動方向が室内外方向となるようになっている。すなわち、前記作動体４は、外れ止め解除位置に定位している状態から室内側方向に移動することによって前記外れ止めブロック３の下側に位置し、該外れ止めブロック３の下降を阻止するようになっている。従って、作動体４が外れ止め作動位置にあるとき、縦框２２の室内側壁面に近接しているため、前述したように、ねじ回し等の棒部材を挿入し、前記作動体４を外れ止め解除位置（図１０(A)の状態）まで押し戻すだけの操作で外れ止めを解除でき、前記外れ止め解除操作が行い易くなっている。これに対して、従来の外れ止め装置のように、外れ止め装置が上框内部に設けられ、上框の室内側面に解除用孔が形成されるような場合は、障子の見込み面に設けた前記解除用孔からねじ回しを差し込んで、見えない箇所を作動させる必要があるため解除操作が非常にし難いなどの問題がある。
【００４５】
また、本外れ止め装置１１では、前記作動体本体４Ａの内部に水平方向のバネ設置空間４ａを形成し、かつ作動体本体４Ａの上面の一部にポスト状の前記ストッパー４Ｂを立設し、前記ストッパー４Ｂの隣接位置を前記外れ止めブロック３の下降移動空間としているとともに、この下降移動空間で前記トリガー片４Ｃを作動させるようにしているため、全体としてコンパクト化が図れるようになっている。
【００４６】
〔他の形態例〕
(1)外れ止めの解除操作の例としては、他に前記作動体４にブラケット状のレバーを設け、これをケース２の外部（見込み面）に露出させておき、このレバーを手で摘んで操作することによって、前記作動体４を外れ止め解除位置まで移動させるようにすることも可能である。
【符号の説明】
【００４７】
１…障子用外れ止め装置、２…ケース、２ａ…上レール嵌入溝、３…外れ止めブロック、４…作動体、４Ｃ…トリガー片、５・６…弾発手段（バネ）、２０…上枠、２０ａ…上レール、２１…下枠、２１ａ…下レール、２２…縦框、２３…上框、Ｓ…障子
【図１】
0005904842.tif 000002
【図２】
0005904842.tif 000003
【図３】
0005904842.tif 000004
【図４】
0005904842.tif 000005
【図５】
0005904842.tif 000006
【図６】
0005904842.tif 000007
【図７】
0005904842.tif 000008
【図８】
0005904842.tif 000009
【図９】
0005904842.tif 000010
【図１０】
0005904842.tif 000011